(57)【要約】      （修正有）【課題】袋の開口部の封緘に際しても容易に封緘でき、紙で製造可能で、使用後の廃棄も容易な袋の封緘具を提供する。【解決手段】袋Ｂの開口部を塞ぐ台紙１から成る封緘具Ａであり、台紙１は袋Ｂの開口部１０の幅を有する矩形の基部２と、基部２の下縁から下方に突出した下部折り込み片３と、基部２の左右両側に設けた、先端に鉤型係止部５を有するアーム状の係止片４と、基部２の上縁から上方に突出した上部折り曲げ片８から成り、下部折り込み片３の上に袋Ｂの開口部１０を扁平にして載置し、この状態で下部折り込み片３と共に台紙１の基部２上に折り畳み、上部折り曲げ片８を、折り込まれた袋Ｂの開口部１０下縁の上に折り曲げ、台紙１の基部２の左右の係止片４を基部の上に折り畳み、折り込まれた上部折り曲げ片８の上から左右の係止片４の各鉤型係止部５で相互に係止する。【選択図】図２
0003232203.tif 000002
【実用新案登録請求の範囲】
【請求項１】
袋の開口部を塞ぐ台紙から成る封緘具であり、当該台紙は袋の開口部の幅を有する矩形の基部と、当該基部の下縁から下方に突出した下部折り込み片と、前記基部の左右両側に設けた、先端に鉤型係止部を有するアーム状の係止片から成り、前記台紙の下部折り込み片の上に袋の開口部を扁平にして載置し、この状態で前記下部折り込み片と共に台紙の基部上に折り畳み、台紙の基部の左右の係止片を基部の上に折り畳み、前記折り込まれた袋の開口部下縁の上から当該左右の係止片の各先端部の鉤型係止部で相互に係止することを特徴とする、袋の封緘具。
【請求項２】
袋の開口部を塞ぐ台紙から成る封緘具であり、当該台紙は袋の開口部の幅を有する矩形の基部と、当該基部の下縁から下方に突出した下部折り込み片と、前記基部の左右両側に設けた、先端に鉤型係止部を有するアーム状の係止片と、前記基部の上縁から上方に突出した上部折り曲げ片から成り、前記下部折り込み片の上に袋の開口部を扁平にして載置し、この状態で前記下部折り込み片と共に台紙の基部に折り畳み、前記上部折り曲げ片を、前記折り込まれた袋の開口部下縁の上に折り曲げ、台紙の基部の左右の係止片を基部の上に折り畳み、前記折り込まれた上部折り曲げ片の上から当該左右の係止片の各鉤型係止部で相互に係止することを特徴とする、袋の封緘具。
【請求項３】
前記下部折り込み片が折り目を介して２段以上になっており、最下段の下部折り込み片の上に、袋の開口部を扁平にして載置し、この状態で前記下部折り込み片と共に複数回巻き込みながら折って台紙の基板上に折り畳むことを特徴とする、請求項１又は２に記載の袋の封緘具。
【請求項４】
前記台紙の基部の上縁両側から上方に、当該上縁両側を結ぶ取っ手を設けたことを特徴とする、請求項１〜３のいずれかに記載の袋の封緘具。
【考案の詳細な説明】
【技術分野】
【０００１】
この考案は、ポリエチレン、塩ビ、紙又はラミネート紙等から成る袋の開口部を塞ぐための封緘具及び取っ手付きの封緘具に関するものである。
【背景技術】
【０００２】
従来、ポリエチレン、塩ビ、紙又はラミネート紙等から成る簡易な袋の開口部はステープルやテープ、又はクリップ等によって止めている。これらの袋は菓子等の食料品や小さな玩具を収納している。
【０００３】
特許文献１は、開口部を封緘する封緘用台紙で、当該台紙を袋の開口部に取り付け、その上からステープラを用いてステープルで台紙ごと袋の開口部を封緘したものであり、開封に当たっては、前記ステープルを取り外して台紙を外し、袋を開口するものである。また、特許文献２は袋体の開口部に二つ折りの封緘シートを被せてこれを袋に貼りつけ、開封時は前記封緘シートの折り曲げ部を切り剥がして開口するものである。
【０００４】
また、特許文献３のものは、細長いクリップ型の止め具で、端部に設けた回転部を中心に開閉する２つの桿状部材からなり、当該桿状部材の他端には開閉操作を行うリング状把手が夫々設けられてなり、袋の開口部を前記桿状部材で把持して封緘するものである。当該袋の開封はリング状把手により２つの桿状部材を開き、止め具を外せば良い。
【先行技術文献】
【特許文献】
【０００５】
【特許文献１】実用新案登録第３０１８０７４号公報
【特許文献２】実用新案登録第２５２８４４２号公報
【特許文献３】実用新案登録第３１３１８４４号公報
【考案の開示】
【考案が解決しようとする課題】
【０００６】
上記特許文献１は袋の開口部を封緘するのに、封緘用台紙を開口部に被せ、その上からステープラを用いてステープルを刺して袋の開口部に止めるため、手間がかかり、取り外しの際は、ステープル等の金属の廃棄物が出る欠点がある。
【０００７】
また、特許文献２のものは、封緘シートを設け、当該封緘シートを袋の開口部に被せて接着剤で固定するため、袋を封緘するのに手間がかかる。また、特許文献３の止め具も合成樹脂や金属で製造するもので、製造に手間がかかり、その上使用後の廃棄に手間がかかる。
【０００８】
この考案は、上記の点に着目し、袋の開口部の封緘に際しても容易に封緘でき、しかも、封緘具は紙で製造可能であり、使用後の廃棄も容易である封緘具を提供するもので、さらに当該封緘具に容易に手提げ用の取っ手をつけることもできる、袋の封緘具を提供することを目的としたものである。
【課題を解決するための手段】
【０００９】
請求項１の考案は、袋の開口部を塞ぐ台紙から成る封緘具であり、当該台紙は袋の開口部の幅を有する矩形の基部と、当該基部の下縁から下方に突出した下部折り込み片と、前記基部の左右両側に設けた、先端に鉤型係止部を有するアーム状の係止片から成り、前記台紙の下部折り込み片の上に袋の開口部を扁平にして載置し、この状態で前記下部折り込み片と共に台紙の基部上に折り畳み、台紙の基部の左右の係止片を基部の上に折り畳み、前記折り込まれた袋の開口部下縁の上から当該左右の係止片の各先端部の鉤型係止部で相互に係止する、袋の封緘具とした。
【００１０】
また、請求項２の考案は、袋の開口部を塞ぐ台紙から成る封緘具であり、当該台紙は袋の開口部の幅を有する矩形の基部と、当該基部の下縁から下方に突出した下部折り込み片と、前記基部の左右両側に設けた、先端に鉤型係止部を有するアーム状の係止片と、前記基部の上縁から上方に突出した上部折り曲げ片から成り、前記下部折り込み片の上に袋の開口部を扁平にして載置し、この状態で前記下部折り込み片と共に台紙の基部に折り畳み、前記上部折り曲げ片を、前記折り込まれた袋の開口部下縁の上に折り曲げ、台紙の基部の左右の係止片を基部の上に折り畳み、前記折り込まれた上部折り曲げ片の上から当該左右の係止片の各鉤型係止部で相互に係止する、袋の封緘具とした。
【００１１】
また、請求項３の考案は、前記下部折り込み片が折り目を介して２段以上になっており、最下段の下部折り込み片の上に、袋の開口部を扁平にして載置し、この状態で前記下部折り込み片と共に複数回巻き込みながら折って台紙の基板上に折り畳む、請求項１又は２に記載の袋の封緘具とした。
【００１２】
また、請求項４の考案は、前記台紙の基部の上縁両側から上方に、当該上縁両側を結ぶ取っ手を設けた、請求項１〜３のいずれかに記載の袋の封緘具とした。
【考案の効果】
【００１３】
請求項１の考案によれば、当該封緘具は紙でも製造でき、簡単な構造であるため製造コストも低減でき、ポリエチレン、塩ビ、紙又はラミネート紙等から成る袋の開口部を容易にかつ確実に封緘できる。当該封緘具を袋に一旦取り付けると、袋を下方に引っ張っても容易に封緘具が抜けることもない。また、一度開封しても、何回も繰り返し使用できる。さらに、ステープル等の金属や合成樹脂を使用しなくて済むので当該封緘具の廃棄が容易である。
【００１４】
また、請求項２の考案によれば、袋の開口部の下縁を押し付けている上部折り曲げ片は、素材の復元力により上に押し上げる力が働き、左右の係止片を押し上げる。これにより、左右の係止片は左右に開く力が働き、これにより各係止片先端の鉤型係止部が相互に離れる力が働き、鉤型係止部の係止がより強固となる。
【００１５】
また、請求項３の考案によれば、下部折り込み片を折り目を介して複数段にしているため、封緘の際、袋の開口部下縁を複数回巻き込むように折り込むため、より強固に袋が封緘具に係止される。従って、開口部の大きな袋に当該封緘具を使用した場合でも、封緘が外れることがない。
【００１６】
また、請求項４の考案によれば、当該封緘具に取っ手がついているため、袋の持ち運びに極めて便利である。
【図面の簡単な説明】
【００１７】
【図１】この考案の実施の形態例１の封緘具の台紙の展開図である。
【図２】この考案の実施の形態例１の封緘具及び袋の正面図である。
【図３】この考案の実施の形態例１の封緘具で袋の開口部を封緘する第１工程を示す正面図である。
【図４】この考案の実施の形態例１の封緘具で袋の開口部を封緘する第２工程を示す正面図である。
【図５】この考案の実施の形態例１の封緘具で袋の開口部を封緘する第３工程を示す正面図である。
【図６】この考案の実施の形態例１の封緘具で袋の開口部を封緘する第３工程の斜視図である。
【図７】この考案の実施の形態例１の封緘具で袋の開口部を封緘した状態を示す正面図である。
【考案を実施するための形態】
【００１８】
（実施の形態例１）
この考案の実施の形態例１の封緘具Ａを図１〜図７に基づいて説明する。
【００１９】
まず、この封緘具Ａは図１に示すように、台紙１の基部２は矩形形状であり、封緘する袋Ｂの開口部１０の長さとほぼ同じ長さの横幅を有する。また、当該基部２の下縁に折り目を介して、下部折り込み片３を突設している。当該下部折り込み片３は、さらに折り目を介して下部折り込み上部片３ａ、下部折り込み下部片３ｂの２段に分かれている。
【００２０】
また、前記基部２の左右縁には折り目を介してアーム状の係止片４を有している。これらの各係止片４の先端には鉤型係止部５を設けており、これらの鉤型係止部５は左右で上下が逆になっている。また、前記基部２の上縁の両端部からアーチ状の取手６が設けられ、当該アーチ状の取手６の内側には、取手の弧状の下縁に沿った切り込み７が台紙２に設けられ、基部１の上縁から折り目を介して、上端を前記切り込み７によって区画された上部折り曲げ片８が設けられている。
【００２１】
この封緘具Ａを用いて封緘する袋Ｂは、図２に示すように、上端に開口部１０を有する縦長の袋である。当該袋Ｂは両側にマチを有し、当該マチが折り畳まれている。
【００２２】
この袋Ｂの開口部１０を封緘するには、図３に示すように、台紙１の下部折り込み下部片３ｂの上に、前記袋Ｂの上端の開口部１０の下縁を載置する。そして、当該袋Ｂの開口部１０を巻き込みながら、図４に示すように、下部折り込み片３の下部折り込み下部片３ｂを下部折り込み上部片３ａの上に折り畳み、さらに、下部折り込み上部片３ａを前記基部２上に折り畳む。そして、前記上部折り曲げ片８を基部２側に折り曲げる。この状態が図５に示されている。
【００２３】
そして、図６に示すように、左右の係止片４を基部２側に折り畳み、前記上部折り曲げ片８の上から、各係止片４の先端の鉤型係止部５により、左右の係止片４を相互に係止する。これにより、図７に示すように、当該封緘具Ａで袋Ｂの開口部が封緘される。
【００２４】
この封緘具Ａにより封緘された袋Ｂは、その開口部１０が、封緘具の下部折り込み片３とともに折り込まれ、この状態で上部折り曲げ片８が重ねられ、左右の係止片４で被われ、各係止片４の鉤型係止部５で上から係止されるため、強固に封緘される。袋Ｂを下方に引っ張っても封緘具Ａはむやみに外れない。
【００２５】
また、当該袋Ｂの開封に際しては、左右の係止片４の係止を外し、上部折り曲げ片８を開き、下部折り込み片３とともに袋Ｂの開口部１０下縁の折り込みを戻せば、袋Ｂは元の状態になり、開口する。従って、当該封緘具Ａを用いれば、何回でも袋Ｂを封緘することができる。
【００２６】
さらに、当該封緘具Ａの台紙１は紙で作ることもでき、その場合、ステープル等の金属の止め具や合成樹脂と異なり、当該封緘具Ａを容易に破棄することができる。
【００２７】
また、当該封緘具Ａは取っ手６が付いているため、袋Ｂを封緘するとともに持ち運びに便利である。
【００２８】
なお、上記実施の形態例１では、上部折り曲げ片８を設けたが、当該上部折り曲げ片８はなくても封緘具として使用できる。また、下部折り曲げ片３についても、上記実施の形態例１では、下部折り込み上部片３ａと下部折り込み下部片３ｂを設けたが、この下部折り込み片３は一段のものでも、複数段のものでもよい。
【００２９】
また、上記取っ手６については必ずしもアーチ状でなくともよく、山形、門型等適宜の形状でもよい。またさらに、上記実施の形態例１では、取っ手６が付いた封緘具Ａとしているが、当該取っ手６の付いていない封緘具であっても良い。
【符号の説明】
【００３０】
Ａ        封緘具                      Ｂ        袋
１        台紙                        ２        基部
３        下部折り込み片              ３ａ      下部折り込み上部片
３ｂ      下部折り込み下部片          ４        係止片
５        鉤型係止部                  ６          取っ手
７        切り込み                    ８        上部折り曲げ片
１０      開口部
【図１】
0003232203.tif 000003
【図２】
0003232203.tif 000004
【図３】
0003232203.tif 000005
【図４】
0003232203.tif 000006
【図５】
0003232203.tif 000007
【図６】
0003232203.tif 000008
【図７】
0003232203.tif 000009